(57)【特許請求の範囲】
【請求項１】
下ドラム上に設けられたフランジ上に設けられ、一定速度で送り操作される記録テープが所定のラッピング角に亘って巻回され、当該下ドラムに対して、当該フランジとともに一定速度で回転操作される上ドラムと、
上記上ドラムの下面部に取付けられ、記録テープに記録信号を書き込む互いにアジマス角の異なる複数の記録ヘッドチップと、
上記上ドラムの下面部に取付けられた磁気抵抗型薄膜ヘッドでなり、記録テープより再生信号を読み出す複数の再生ヘッドチップと、
上記上ドラムの上面部に取付けられ、上記再生ヘッドチップにより読み出された再生信号を増幅する電気回路と、
上記フランジの下面部及び上記下ドラムの上面部に設けられ、上記フランジ及び上記下ドラムとの間で上記各種信号及び上記電気回路の駆動電力の授受を行うロータリートランスと、
上記再生ヘッドチップと上記電気回路とを電気的に接続させる第１の中継ピンと、
上記ロータリートランスと上記電気回路とを電気的に接続させる第２の中継ピンと、
上記フランジに設けられ、上記ロータリートランスと電気的に接続される端子部と、互いに対向された一対の挟持部で着脱可能に上記第２の中継ピンを挟持して上記第２の中継ピンと着脱可能に電気的に接続されるコネクタ部とを有し、上記ロータリートランスと上記第２の中継ピンとを電気的に接続させるコネクタとを備え、
上記ロータリートランスと上記各記録ヘッドチップとの電気的な接続は、上記フランジに設けられ、上記ロータリートランスと電気的に接続されるとともに上記各記録ヘッドチップに圧接させて上記各記録ヘッドチップと着脱可能に電気的に接続される端子板を介して行われ、
上記各記録ヘッドチップは、上記上ドラムの下面部の回転軸回りの９０°以下の角度範囲に取付けられており、上記記録テープ上に、順次密接して隣接するヘリカルトラックを形成して、上記下ドラムから上記ロータリートランス及び上記端子板を介して供給された記録信号を記録し、
上記第１の中継ピンは、上記各再生ヘッドチップによって上記記録テープから読み出した再生信号を上記電気回路へ出力し、
上記第２の中継ピンは、上端側が上記電気回路と電気的に接続されるとともに、下端側が上記挟持部間に差し込まれ、当該下端側が着脱可能に上記挟持部により両側より挟み込まれて圧接され、上記コネクタと着脱可能に電気的に接続され、上記下ドラムから上記ロータリートランス及び上記コネクタを介して供給された駆動電力を上記電気回路に電送するとともに、上記電気回路で増幅された上記再生信号を上記コネクタを介してロータリートランスへ出力する回転ヘッド装置。
【発明の詳細な説明】
【０００１】
【発明の属する技術分野】
本発明は、記録テープに対していわゆるヘリカルスキャンを行うことにより情報信号の記録を行う回転ヘッド装置に関する。
【０００２】
【従来の技術】
従来、回転操作される円柱状の回転ドラムとこの回転ドラム上に取付けられた記録ヘッドチップとを有して構成され、該回転ドラムに対して所定のラップ角に亘って巻回されて走行操作される記録テープに対し、情報信号の記録を行う回転ヘッド装置が提案されている。記録テープは、例えば磁気テープであって、回転ドラムに対して、斜めに、すわなち、螺旋（ヘリックス）形状に巻回されることによって、記録ヘッドチップによるいわゆるヘリカルスキャンをなされて、記録トラックを形成される。
【０００３】
このような回転ヘッドにおいては、回転ドラム上に互いにアジマス角の異なる複数の記録ヘッドチップを設け、記録トラック同士間のいわゆるガードバンドを無くして、隣接する記録トラックを互いに密接させることにより、情報信号の記録密度を向上させたものが提案されている。
【０００４】
【発明が解決しようとする課題】
ところで、上述のような回転ヘッド装置において、さらに情報信号の記録密度を向上させ、記録テープの体積あたりの記録可能な情報量を増大させるには、記録波長の短波長化を図ること、記録トラックピッチの幅狭化を図ること、記録テープの薄型化を図ることなどが必要である。
【０００５】
これらのうち、記録波長の短波長化及び記録トラックピッチの幅狭化については、再生出力レベルと相反関係にあり、記録波長の短波長化や記録トラックピッチの幅狭化を図ることによって再生出力レベルが低下し、再生信号の質が劣化してしまうという問題がある。そして、記録テープの薄型化については、記録テープを薄型化すると、この記録テープの剛性が低下して走行が不安定となり、信頼性が低下するという問題がある。
【０００６】
さらに、一対の記録ヘッドチップが回転ドラムの中心軸回りの１８０°を隔てて取付けられている場合においては、回転ドラムの回転精度の影響を受けて、記録テープ上に形成される記録トラックに曲がり（変形）が生ずるという問題がある。
【０００７】
このような現状においては、記録テープ上における記録波長は０．４μｍ程度、記録トラックピッチは７μｍ程度が最小限界となっている。
【０００８】
そこで、本発明は、上述の実情に鑑みて提案されるものであって、再生出力レベルの劣化や記録テープの剛性の低下を招来することなく、記録テープ上における記録波長をより短いものとし、また、記録トラックピッチをより狭いものとすることを可能とする回転ヘッド装置を提供しようとするものである。
【０００９】
【課題を解決するための手段】
上述の課題を解決するため、本発明に係る回転ヘッド装置は、下ドラム上に設けられたフランジ上に設けられ、一定速度で送り操作される記録テープが所定のラッピング角に亘って巻回され、当該下ドラムに対して、当該フランジとともに一定速度で回転操作される上ドラムと、上記上ドラムの下面部に取付けられ、記録テープに記録信号を書き込む互いにアジマス角の異なる複数の記録ヘッドチップと、上記上ドラムの下面部に取付けられた磁気抵抗型薄膜ヘッドでなり、記録テープより再生信号を読み出す複数の再生ヘッドチップと、上記上ドラムの上面部に取付けられ、上記再生ヘッドチップにより読み出された再生信号を増幅する電気回路と、上記フランジの下面部及び上記下ドラムの上面部に設けられ、上記フランジ及び上記下ドラムとの間で上記各種信号及び上記電気回路の駆動電力の授受を行うロータリートランスと、上記再生ヘッドチップと上記電気回路とを電気的に接続させる第１の中継ピンと、上記ロータリートランスと上記電気回路とを電気的に接続させる第２の中継ピンと、上記フランジに設けられ、上記ロータリートランスと電気的に接続される端子部と、互いに対向された一対の挟持部で着脱可能に上記第２の中継ピンを挟持して上記第２の中継ピンと着脱可能に電気的に接続されるコネクタ部とを有し、上記ロータリートランスと上記第２の中継ピンとを電気的に接続させるコネクタとを備え、上記ロータリートランスと上記各記録ヘッドチップとの電気的な接続は、上記フランジに設けられ、上記ロータリートランスと電気的に接続されるとともに上記各記録ヘッドチップに圧接させて上記各記録ヘッドチップと着脱可能に電気的に接続される端子板を介して行われ、上記各記録ヘッドチップは、上記上ドラムの下面部の回転軸回りの９０°以下の角度範囲に取付けられており、上記記録テープ上に、順次密接して隣接するヘリカルトラックを形成して、上記下ドラムから上記ロータリートランス及び上記端子板を介して供給された記録信号を記録し、上記第１の中継ピンは、上記各再生ヘッドチップによって上記記録テープから読み出した再生信号を上記電気回路へ出力し、上記第２の中継ピンは、上端側が上記電気回路と電気的に接続されるとともに、下端側が上記挟持部間に差し込まれ、当該下端側が着脱可能に上記挟持部により両側より挟み込まれて圧接され、上記コネクタと着脱可能に電気的に接続され、上記下ドラムから上記ロータリートランス及び上記コネクタを介して供給された駆動電力を上記電気回路に電送するとともに、上記電気回路で増幅された上記再生信号を上記コネクタを介してロータリートランスへ出力する。
【００１１】
【発明の実施の形態】
以下、本発明の実施の形態を図面を参照しながら説明する。
【００１２】
本発明に係る回転ヘッド装置は、記録テープである磁気テープを記録媒体としてデジタル情報信号の記録再生を行う記録再生装置において、該磁気テープに対し、いわゆるヘリカルスキャンを行って、デジタル情報信号の書き込み及び読出しを行う装置である。
【００１３】
この回転ヘッド装置は、図１に示すように、記録再生装置の図示しないシャーシ上に固定して配設される略々円柱状の下ドラム１を有している。この下ドラム１は、例えばアルミニウムの如き金属により形成されている。この下ドラム１の外周面部には、記録再生装置において走行操作される磁気テープをガイドするためのリードが形成されている。磁気テープは、このリードに沿って走行されることにより、下ドラム１の外周面上に、所定角度範囲に亘って、斜めに、すなわち、螺旋（ヘリックス）形状に巻回された状態で走行される。なお、この実施の形態においては、図２に示すように、磁気テープは、下ドラム１の外周面上に、１７４°に亘って巻回される。
【００１４】
下ドラム１の中心部分には、図１に示すように、中心部に回転軸２ａを有する軸受け（ダイレクトベアリング）２が、いわゆる焼きばめによって、隙間なく組み付けられている。すなわち、この軸受け２は、回転軸２ａを複数の鋼球２ｃを介して回転可能に支持している外環部２ｂを、下ドラム１の中心部に形成された孔１ａに嵌入されて固定され、回転軸２ａを下ドラム１に対して回転可能としている。この回転軸２ａは、下ドラム１の上方側及び下方側に突出している。
【００１５】
軸受け２の回転軸２ａには、下ドラム１の上方側に突出した部分において、略々円盤形状のフランジ３が取付けられている。このフランジ３は、中心部分に孔を有し、この孔に回転軸２ａを圧入させ、さらに、この回転軸２ａに接着されることにより、該回転軸２ａに取付けられている。
【００１６】
そして、このフランジ３上には、回転ドラムとなる上ドラム４が取付けられている。この上ドラム４は、アルミニウムの如き金属材料により、下ドラム１と同一径の円柱状に形成されている。この上ドラム４は、下ドラム１に対して同軸状に支持され、フランジ３及び回転軸２ａとともに、中心軸回りに回転可能となされている。
【００１７】
上ドラム４の下面部には、この上ドラム４とフランジ３との間に位置して、複数の記録ヘッドチップ５が、それぞれネジ６によって取付けられている。この回転ヘッド装置においては、複数の記録ヘッドチップ５は、図３に示すように、上ドラム４において、できるだけ近接されて、すなわち、上ドラム４の回転軸回りの９０°以下の角度範囲に取付けられている。この実施の形態においては、記録ヘッドチップ５の数は２個としている。また、この実施の形態においては、記録ヘッドチップ５のなす角度θは、５０°程度となっている。
【００１８】
そして、上ドラム４の下面部には、複数の再生ヘッドチップ７が、それぞれネジ８によって取付けられている。これら再生ヘッドチップ７は、磁気抵抗型薄膜ヘッド、いわゆるＭＲヘッドである。この実施の形態においては、再生ヘッドチップ７の数は２個としている。
【００１９】
さらに、上ドラム４の上面部、すなわち、記録ヘッドチップ５及び再生ヘッドチップ７が取付けられた面の反対側の面には、図１に示すように、再生ヘッド駆動用及び再生信号増幅用の電気回路９が取付けられている。この電気回路９は、基板１０と、この基板１０の下面部に取付けられた電子部品群１１とから構成されている。すなわち、電子部品群１１は、基板１０と上ドラム４との間に位置している。この電気回路９は、再生ヘッドチップ７が磁気抵抗型薄膜ヘッドであることによって必要となるものである。
【００２０】
そして、下ドラム１とフランジ３との間には、該下ドラム１側と、記録ヘッドチップ５及び電気回路９側との間での、電気信号及び電力の授受を行うためのロータリートランス１２が設けられている。このロータリートランス１２は、下ドラム１の上面部に固定されたステータ（固定側）コイル板１２ａと、フランジ３の下面部に接着されたロータ（回転側）コイル板１２ｂとから構成されている。これらステータコイル板１２ａ及びロータコイル板１２ｂは、それぞれ円盤状に形成され、複数の同心円状に形成されたコイル巻回溝を有している。これらコイル巻回溝内には、それぞれ巻線が設けられている。これらステータコイル板１２ａ及びロータコイル板１２ｂは、互いに微小な間隔を隔てて平行に対向され、対応する巻線同士を対向させている。
【００２１】
電気回路９の駆動電源は、ロータリートランス１２のステータコイル板１２ａ及びロータコイル板１２ｂのそれぞれのうちの電源供給用巻線を介して、電送されて供給される。また、記録ヘッドチップ５へ供給される記録信号及び電気回路９より出力される再生信号は、ロータリートランス１２のステータコイル板１２ａ及びロータコイル板１２ｂのそれぞれのうちの情報信号用巻線を介して電送される。
【００２２】
上ドラム４及びフランジ３を含む回転体においては、ロータリートランス１２のロータコイル板１２ｂの巻線、各記録ヘッドチップ５、各再生ヘッドチップ７及び電気回路９間は、図１及び図３に示すように、端子板１３、中継基板（フレキシブル基板）１４、基板１０上の導体パターン、コネクタ付き端子板１５、中継ピン１６、コネクタ１７を介して、図４に示すように、所定の接続をなされている。端子板１３、コネクタ付き端子板１５及びコネクタ１７は、合成樹脂材料からなる略々リング状の端子板支持部材１８とともにアウトサート成型されることによりこの端子板支持部材１８により支持されており、端子部分、端子部分及びコネクタ部分、または、コネクタ部分を外方側に臨ませている。端子板支持部材１８は、端子板１３及びコネクタ付き端子板１５の端子部分に対応する透孔を有している。すなわち、これら端子部分は、端子板支持部材１８の上方側及び下方側の両方に臨んでいる。この端子板支持部材１８は、フランジ３の上面部に貼り付けられ、このフランジ３と上ドラム４との間に位置する。中継基板１４は、フランジ３の上面部に貼り付けられており、このフランジ３と端子板支持部材１８との間に位置している。
【００２３】
各記録ヘッドチップ５は、図４に示すように、それぞれ一対の端子板１３，１３を介して、中継基板１４の所定の導体パターンに接続される。これら端子板１３は、図３に示すように、それぞれ２本の端子部を有しており、図５に示すように、上方側に屈曲された一方の端子部が記録ヘッドチップ５の電極部に圧接されて接続され、下方側に屈曲された他方の端子部が中継基板１４の所定の導体パターンに接触される。この中継基板１４の導体パターンには、ロータコイル板１２ｂの所定の巻線のリード線が半田付けにより接続されている。このような接続により、ロータコイル板１２ｂの所定の巻線のリード線から、各記録ヘッドチップ５に対して、磁気テープへの書き込みを行う情報信号の供給が行われる。
【００２４】
この実施の形態においては、記録ヘッドチップ５の数が２個なので、これら記録ヘッドチップ５，５に対応するものとして、端子板１３を４枚使用する。
【００２５】
また、各再生ヘッドチップ７は、図１及び図３に示すように、それぞれ一対のコネクタ付き端子板１５，１５及び一対の中継ピン１６，１６を介して、基板１０上の所定の導体パターンに接続され、図４に示すように、電気回路９に接続される。これらコネクタ付き端子板１５は、図６及び図７に示すように、それぞれ１本の端子部とコネクタ部とを有しており、上方側に屈曲された端子部が再生ヘッドチップ７の電極部に圧接されて接続される。
【００２６】
中継ピン１６は、図１に示すように、上ドラム４に取付けられており、上端側が基板１０上の所定の導体パターンに接続され、下端側がコネクタ付き端子板１５のコネクタ部に圧接されて接続される。コネクタ付き端子板１５のコネクタ部は、図８に示すように、互いに対向された一対の挟持部１５ａ，１５ｂからなり、中継ピン１６の下端側が該各挟持部間に差し込まれると、図９に示すように、この下端側を両側より挟み込み、該下端側の両側部に該各挟持部を圧接させる。このような接続により、各再生ヘッドチップ７から、磁気テープより読み出した情報信号の電気回路９への入力が行われる。
【００２７】
この実施の形態においては、再生ヘッドチップ７の数が２個なので、これら再生ヘッドチップ７，７から電気回路９への入力のためには、コネクタ付き端子板１５を４枚、中継ピン１６を４本使用する。なお、中継ピン１６は、図１０及び図１１に示すように、２本ずつが１個の合成樹脂製のホルダ１６ａに支持されている。
【００２８】
さらに、基板１０上の所定の導体パターンは、図１に示すように、中継ピン１６及びコネクタ１７を介して、ロータコイル板１２ｂの所定の巻線のリード線に接続されている。すなわち、上端側が基板１０上の所定の導体パターンに接続された複数の中継ピン１６の下端側は、それぞれコネクタ１７に圧接されて接続される。コネクタ１７は、図１２に示すように、互いに対向された一対の挟持部を有し、中継ピン１６の下端側が該各挟持部間に差し込まれると、この下端側を両側より挟み込み、該下端側の両側部に該各挟持部を圧接させる。これらコネクタ１７には、ロータコイル板１２ｂの所定の巻線のリード線が半田付けによりそれぞれ接続されている。このような接続により、電気回路９において増幅された情報信号の出力と、該電気回路９への電源供給が行われる。
【００２９】
この実施の形態においては、再生ヘッドチップ７の数が２個なので、電気回路９からの出力のためには、中継ピン１６を４本、コネクタ１７を４個使用する。また、電気回路９への電源供給のためには、中継ピン１６を２本、コネクタ１７を２個使用する。
【００３０】
この回転ヘッド装置においては、上ドラム４をフランジ３から外したときには、各記録ヘッドチップ５、各再生ヘッドチップ７及び各中継ピン１６が、該上ドラム４とともにフランジ３より離間される。このとき、各中継ピン１６の下端側は、コネクタ付き端子板１５のコネクタ部及びコネクタ１７より抜き取られる。そして、上ドラム４をフランジ３上に装着したときには、各中継ピン１６の下端側は、コネクタ付き端子板１５のコネクタ部及びコネクタ１７に差し込まれる。このように、この回転ヘッド装置においては、完成後の分解やメインテナンスが容易に行え、かつ、各接続部について高い信頼性が実現されている。
【００３１】
また、上ドラム４の回転中において、再生ヘッドチップ７が軸受け２内の潤滑グリス等によってシャーシ及び下ドラム１に対して電気的に浮いてしまう虞れがあるので、該再生ヘッドチップ７を下ドラム１に接地させるために、軸アース部材１９が設けられている。この軸アース部材１９は、基端側が下ドラム１に接触されて接地されており、先端側を軸受け２の回転軸２ａの上端面に接触させている。
【００３２】
そして、上ドラム４を回転駆動するためのモータ２０が、軸受け２の回転軸２ａの下端側、すなわち、上ドラム４の取付け部の反対側に取付けられている。このモータ２０は、回転軸２ａに取付けられたロータ２１と、下ドラム１に取付けられたステータコイル基板２２とから構成されている。ロータ２１は、透磁性材料により略々円盤状に形成され中心部の透孔に回転軸２ａを嵌入させて該回転軸２ａに取付けられた基材部を有している。このロータ２１は、基材部に取付けられたマグネット２３及びヨーク２４を有している。このロータ２１において、基材部、マグネット２３及びヨーク２４は、磁気回路を構成している。ステータコイル基板２２は、中央部分に透孔を有する円盤形状の基板にステータコイルが取付けられて構成されており、該ステータコイルを、ロータ２１の基材部、マグネット２３及びヨーク２４が構成する磁気回路中に位置させて、下ドラム１に取付けられている。
【００３３】
このモータ２０においては、ステータコイル基板２２のステータコイルに所定の駆動電流が供給されることにより、ロータ２１が回転操作される。ロータ２１が回転操作されると、回転軸２ａ及び上ドラム４が、該ロータ２１とともに回転操作される。
【００３４】
このモータ２０においては、ステータコイル基板２２は、図１及び図１３に示すように、下ドラム１に対して、Ｃリング２５によって取付けられている。このＣリング２５は、弾性を有する金属材料により、１箇所に欠損を有する円環形状に形成されている。下ドラム１の下端側は、内周側にステータコイル基板２２が挿入され得る円筒状となされている。この円筒状の部分の内周部には、図１４に示すように、ステータコイル基板２２の外周縁部及びＣリング２５が嵌合される溝部２６が全周に亘って円環状に形成されている。この溝部２６は、下側の縁部が、下ドラム１の下方側に向けて傾斜された傾斜面（円錐面）となされている。そして、Ｃリング２５は、外周側の下縁部が、溝部２６の傾斜面に対応した傾斜面（円錐面）となされている。このＣリング２５は、自然状態においては、溝部２６がなす円環よりも大径の円環をなしている。
【００３５】
下ドラム１にステータコイル基板２２を取付けるときには、まず、このステータコイル基板２２を下ドラム１の下端側の円筒状部分内に挿入し、外周縁部を溝部２６内に嵌入させる。このとき、ステータコイル基板２２の位相位置（回転位置）は、図１５に示すように、このステータコイル基板２２の外周部に設けられた突片部２７を下ドラム１の下端側に設けられた欠損部２８に合致させて嵌合させることにより、位置決めされる。なお、突片部２７には、ステータコイル基板２２上に設けられたステータコイルに駆動電流を供給するためのフレキシブル基板３４が取付けられている。
【００３６】
そして、Ｃリング２５は、外力により弾性変形されて溝部２６がなす円環よりも小径化された状態で、下ドラム１の下端側の円筒状部分内に挿入され、該外力から開放されることによって自然状態に復帰しようとする力で、該溝部２６内に進入する。このとき、Ｃリング２５は、傾斜面を溝部２６の傾斜面に当接させた状態で外方側に拡径しようとするので、下ドラム１に対して上方側に移動しようとすることとなり、ステータコイル基板２２を溝部２６の上側の縁部に押し付ける。このように、Ｃリング２５がステータコイル基板２２を上方側に押し付けることにより、ネジ止めにより固定する場合に比して下ドラム１の歪みや変形が少なく、また、構成の小型化が可能でありながら、該ステータコイル基板２２の正確な位置決めを行うことができる。
【００３７】
この回転ヘッド装置においては、記録再生装置によって磁気テープが下ドラム１及び上ドラム４の外周面を経て走行され、該上ドラム４が回転操作されることにより、各記録ヘッドチップ５は、図１６に示すように、該磁気テープ上に、順次密接して隣接するヘリカルトラックＴｒ０、Ｔｒ１・・・を形成してデジタル信号を記録する。
【００３８】
ところで、この回転ヘッド装置においては、電気回路９上に取り付けてある回転バランス調整用リング３０とモータ２０のロータ２１の２箇所において、回転バランスを調整し、上ドラム４の回転に伴う振動の低減を図っている。また、上ドラム４においては、各記録ヘッドチップ５の反対側となる位置に、バランスウェイト２９が取付けられている。
【００３９】
回転バランス調整用リング３０は、合成樹脂の如き材料により、図１及び図１７に示すように、複数の孔３１を有して形成されている。この回転バランス調整用リング３０においては、孔３１に金属球３２を圧入することによって、半田や接着材を付着させることによってバランス調整を行っていた従来の回転ヘッド装置におけるよりも容易に、回転バランスを適切な値に調整することができる。例えば、金属球３２としてφ１ｍｍの鋼球を使用した場合には、その重量ｗは１個あたり４ｍｇであり、それによる回転バランス調整感度ｅは、以下の式で示される。
【００４０】
ｅ＝ｒ・ｗ／Ｗ
ここで、ｒは金属球３２が圧入された位置の半径、Ｗは回転体全体の重量を示す。ｒ＝４．５ｍｍ、Ｗ＝１２ｇのときの回転バランス調整感度ｅは、鋼球１個あたり、３μｍとなる。この調整感度は、半径ｒと重量ｗを選択することによって、任意に設定することができる。また、重量の異なる複数種類の球体が挿入できるようにすれば、より高精度なバランス調整を行うことができる。
【００４１】
回転バランス調整用リング３０の孔３１は、貫通孔であるが、電気回路９の基板１０によって、底部を閉蓋されている。すなわち、基板１０は、孔３１に金属球３２が圧入されたときのこの金属球３２の受け板を兼ねている。
【００４２】
この回転ヘッド装置においては、上述のような構成を有し、特に、複数の記録ヘッドチップ５が上ドラム４においてできるだけ近接されて、すなわち、上ドラム４の回転軸回りの９０°以下の角度範囲に取付けられているため、上ドラム４の偏芯の各記録ヘッドチップ５に対する影響の違いが少ないため、磁気テープ上における記録トラックピッチを４μｍ程度とし、最短記録波長を０．２８μｍ程度として、上ドラムの回転数が毎分６０００回転以上において記録周波数を２３ＭＨｚ程度とすることが可能となっている。
【００４３】
なお、回転バランスの調整は、図１８及び図１９に示すように、電気回路９上に複数の回転バランス調整用端子３３を円環状に配列させて配設しておき、これら回転バランス調整用端子３３の一部のものを切断することによっても、行うことができる。この場合の調整感度については、上述の金属球を使用する場合と同様に、回転バランス調整用端子３３の長さや太さを設定することによって、任意に設定することができる。さらに、回転バランス調整用端子３３を切断する長さを変えることによって、より高精度なバランス調整が可能となる。この場合においては、電気回路９の基板１０は、回転バランス調整用端子３３の支持板を兼ねている。
【００４４】
【発明の効果】
上述のように、本発明に係る回転ヘッド装置は、一定速度で送り操作される記録テープが所定のラッピング角に亘って巻回され、一定速度で回転操作される上ドラムが下ドラム上に設けられた回転ドラムと、上ドラムの下面部に取付けられた複数の記録ヘッドチップと、上ドラムの下面部に取付けられた磁気抵抗型薄膜ヘッドでなる複数の再生ヘッドチップと、上ドラムの上面部に取付けられた電気回路と、上ドラムの下面部及び下ドラムの上面部に設けられたロータリートランスと、再生ヘッドチップと電気回路とを電気的に接続させるとともにロータリートランスと電気回路とを電気的に接続させる中継ピンとを備えるものであって、各記録ヘッドチップが、回転ドラムの回転軸回りの９０°以下の角度範囲に取付けられている。
【００４５】
そのため、この回転ヘッド装置においては、回転ドラムの偏芯の各記録ヘッドチップに対する影響の違いが少なく、記録テープ上における記録波長を短くし、また、記録トラックピッチを狭くすることができる。
【００４６】
すなわち、本発明に係る回転ヘッド装置は、再生出力レベルの劣化や記録テープの剛性の低下を招来することなく、記録テープ上における記録波長をより短いものとし、また、記録トラックピッチをより狭いものとすることを可能とする。
また、本発明に係る回転ヘッド装置は、中継ピンによって、下ドラムからロータリートランスを介して供給された駆動電力を電気回路に電送するとともに、各再生ヘッドチップによって記録テープから読み出した再生信号を電気回路へ出力し、電気回路で増幅された再生信号を上ドラムの下面部に設けられたロータリートランスへ出力することができる。
また、本発明に係る回転ヘッド装置は、各記録ヘッドチップ、各再生ヘッドチップ及び各中継ピンを、上ドラムとともにフランジより離間させ、このとき、各中継ピンの下端側を、コネクタより抜き取ることで、上ドラムをフランジから外すことができる。
【図面の簡単な説明】
【図１】本発明に係る回転ヘッド装置の構成を示す縦断面図である。
【図２】上記回転ヘッド装置に記録テープが巻回された状態を示す平面図である。
【図３】上記回転ヘッド装置の要部の構成を示す平面図である。
【図４】上記回転ヘッド装置における電気的接続を示す配線図である。
【図５】上記回転ヘッド装置における端子板の形状を示す側面図である。
【図６】上記回転ヘッド装置におけるコネクタ付き端子板の形状を示す側面図である。
【図７】上記回転ヘッド装置におけるコネクタ付き端子板の形状を示す平面図である。
【図８】上記回転ヘッド装置におけるコネクタ付き端子板のコネクタ部の形状を示す斜視図である。
【図９】上記コネクタ部に中継ピンが挿入された状態を示す斜視図である。
【図１０】上記回転ヘッド装置における中継ピンの形状を示す側面図である。
【図１１】上記回転ヘッド装置における中継ピンの形状を示す平面図である。
【図１２】上記回転ヘッド装置におけるコネクタの形状を示す平面図である。
【図１３】上記回転ヘッド装置の構成を示す底面図である。
【図１４】上記回転ヘッド装置におけるモータのステータコイル基板の取付け部分の構成を示す拡大縦断面図である。
【図１５】上記回転ヘッド装置におけるモータのステータコイル基板の取付け部分の構成を示す拡大底面図である。
【図１６】上記回転ヘッド装置により記録テープ上に形成される記録トラックの状態を示す平面図である。
【図１７】上記回転ヘッド装置の構成を示す平面図である。
【図１８】上記回転ヘッド装置の構成の他の形態を示す平面図である。
【図１９】上記回転ヘッド装置の構成の他の形態を示す縦断面図である。
【符号の説明】
１  下ドラム、２  軸受け、３  フランジ、４  上ドラム、５  記録ヘッドチップ、７  再生ヘッドチップ、９  電気回路、１０  基板、１１  電子部品群、１２  ロータリーエンコーダ、１３、端子板、１４  中継基板、１５  コネクタ付き端子板、１６  中継ピン、１７  コネクタ、１８  端子板支持部材、２０  モータ、２１  ロータ、２２  ステータコイル基板、２５  Ｃリング、３０  回転バランス調整用リング、３２  金属球、３３  回転バランス調整用端子
【図１】
0004193293.tif 000002
【図２】
0004193293.tif 000003
【図３】
0004193293.tif 000004
【図４】
0004193293.tif 000005
【図５】
0004193293.tif 000006
【図６】
0004193293.tif 000007
【図７】
0004193293.tif 000008
【図８】
0004193293.tif 000009
【図９】
0004193293.tif 000010
【図１０】
0004193293.tif 000011
【図１１】
0004193293.tif 000012
【図１２】
0004193293.tif 000013
【図１３】
0004193293.tif 000014
【図１４】
0004193293.tif 000015
【図１５】
0004193293.tif 000016
【図１６】
0004193293.tif 000017
【図１７】
0004193293.tif 000018
【図１８】
0004193293.tif 000019
【図１９】
0004193293.tif 000020